(57)【要約】【課題】瞬停復帰時のオーバーシュートにより回路部品に過大な電圧が印加されるのを防ぐとともに、放電灯の安定した点灯を維持することができる放電灯点灯装置等を得る。【解決手段】放電灯１７が取り付けられる負荷回路と、交流電源１を整流する整流回路２と、整流回路２の出力電圧を所望の直流電圧に変換する昇圧チョッパ回路３と、整流回路２の出力電圧を検出する整流回路電圧検出手段２１と、昇圧チョッパ回路３の出力電圧を検出する昇圧回路電圧検出手段２２と、少なくとも昇圧チョッパ回路３の動作制御を行う制御回路５とを備え、制御回路５は、整流回路電圧検出手段２１および昇圧回路電圧検出手段２２の検出に係る電圧に基づいて、電源の瞬間的な電圧低下により昇圧チョッパ回路３の出力電圧が低下したものと判断すると、昇圧チョッパ回路３の出力電圧を、所定時間かけて上昇させるように昇圧チョッパ回路３の動作制御を行うものである。【選択図】図１
2011138626.tif 000002
【特許請求の範囲】
【請求項１】
放電灯が取り付けられる負荷回路と、
電源を整流する整流回路と、
前記整流回路の出力電圧を所望の直流電圧に変換する昇圧チョッパ回路と、
前記整流回路の出力電圧を検出する整流回路電圧検出手段と、
前記昇圧チョッパ回路の出力電圧を検出する昇圧回路電圧検出手段と、
少なくとも前記昇圧チョッパ回路の動作制御を行う制御手段と
を備え、
前記制御手段は、整流回路電圧検出手段および昇圧回路電圧検出手段の検出に係る電圧に基づいて、前記電源の瞬間停止により昇圧チョッパ回路の出力電圧が低下したものと判断すると、前記昇圧チョッパ回路の出力電圧を、一定時間かけて上昇させるように前記昇圧チョッパ回路の動作制御を行うことを特徴とする放電灯点灯装置。
【請求項２】
前記制御手段は、
前記昇圧チョッパ回路の出力電圧を一定時間かけて上昇させる際には、前記昇圧チョッパ回路が有するスイッチング素子に対し、通常時における制御よりも短いオン期間を設定してスイッチング制御をすることを特徴とする請求項１に記載の放電灯点灯装置。
【請求項３】
前記制御手段は、前記瞬間停止による前記昇圧チョッパ回路の出力電圧値に応じて、前記スイッチング素子のオン期間を設定することを特徴とする請求項２に記載の放電灯点灯装置。
【請求項４】
前記放電灯の端子間の電圧または前記放電灯を流れる電流の少なくとも一方を検出する放電灯間検出手段を備え、
前記制御手段は、前記瞬間停止による前記放電灯の両端間の電圧値または前記放電灯を流れる電流値の少なくとも一方に応じて、前記スイッチング素子のオン期間を設定することを特徴とする請求項２または３に記載の放電灯点灯装置。
【請求項５】
前記制御手段は、
前記昇圧チョッパ回路の出力電圧を一定時間かけて上昇させる際には、前記昇圧チョッパ回路が有するスイッチング素子に対し、通常時における制御よりも長い休止期間を設定してスイッチング制御をすることを特徴とする請求項１〜４の何れかに記載の放電灯点灯装置。
【請求項６】
前記制御手段は、前記瞬間停止による前記昇圧チョッパ回路の出力電圧値に応じて、前記スイッチング素子の休止期間を設定することを特徴とする請求項５に記載の放電灯点灯装置。
【請求項７】
前記放電灯の端子間の電圧または前記放電灯を流れる電流の少なくとも一方を検出する放電灯間検出手段を備え、
前記制御手段は、前記瞬間停止による前記放電灯の両端間の電圧値または前記放電灯を流れる電流値の少なくとも一方に応じて、前記スイッチング素子の休止期間を設定することを特徴とする請求項５または６に記載の放電灯点灯装置。
【請求項８】
前記制御手段は、前記電源の瞬間停止が発生したものと判断しても、前記昇圧チョッパ回路の出力電圧が予め定めた許容下限値より大きいと判断すると、通常時における制御を行うことを特徴とする請求項２〜７の何れかに記載の放電灯点灯装置。
【請求項９】
請求項１〜８の何れかに記載の放電灯点灯装置を備えたことを特徴とする照明器具。
【発明の詳細な説明】
【技術分野】
【０００１】
この発明は、放電灯点灯装置およびこの放電灯点灯装置を備えた照明器具に関するものである。
【背景技術】
【０００２】
従来、昇圧チョッパ回路を有する電源駆動の装置においては、電源電圧の瞬間的な停止（例えば数十ｍｓ以下程度。場合によっては低下も含む。以下、瞬停という）により、昇圧チョッパ回路の出力電圧が低下すると、昇圧チョッパ回路の出力電圧を目標値に近づけるように動作する。このとき、通常と同じ動作で昇圧すれば、瞬停から復帰した際に、昇圧回路を介し、例えばインバータ回路を構成するコンデンサに大量の電流が供給されてしまい、目標値を瞬間的に大きく上回ってしまうことがある。
【０００３】
そこで、昇圧チョッパ回路の出力電圧に許容下限値を設け、昇圧回路の出力電圧が許容下限値以下に低下した際に、遮断器によって供給電源を遮断することにより、瞬停等により生じるオーバーシュートを未然に防止するようにした装置が提案されている（例えば、特許文献１参照）。ここで、許容下限値については、瞬停から復帰した際（以下、瞬停復帰時という）の動作において、オーバーシュートにより回路の出力電圧の許容上限値を一時的に超えてしまうような値とする。
【先行技術文献】
【特許文献】
【０００４】
【特許文献１】特開２００１−２８６１８４号公報（第１図、第２図）
【発明の概要】
【発明が解決しようとする課題】
【０００５】
しかし、放電灯点灯装置においては、昇圧チョッパ回路の出力電圧が許容下限値以下に低下した際に、遮断器によって供給電源を遮断すると、瞬停復帰時においても昇圧チョッパ回路の出力電圧が上昇せずに、放電灯が立ち消えてしまうという問題がある。
【０００６】
また、放電灯が点灯している状態と立ち消えた状態とでは、負荷のインピーダンスが異なる。このため、許容下限値についても、負荷の状態により異なってしまうなどの問題がある。
【０００７】
この発明は、上記のような課題を解決するためになされたもので、電源電圧の瞬停が発生した場合においても、瞬停復帰時のオーバーシュートにより回路部品に過大な電圧が印加されるのを防ぐとともに、放電灯の安定した点灯を維持することができる放電灯点灯装置、およびその放電灯点灯装置を用いた照明器具を得るものである。
【課題を解決するための手段】
【０００８】
この発明に係る放電灯点灯装置は、放電灯が取り付けられる負荷回路と、電源を整流する整流回路と、整流回路の出力電圧を所望の直流電圧に変換する昇圧チョッパ回路と、整流回路の出力電圧を検出する整流回路電圧検出手段と、昇圧チョッパ回路の出力電圧を検出する昇圧回路電圧検出手段と、少なくとも昇圧チョッパ回路の動作制御を行う制御手段とを備え、制御手段は、整流回路電圧検出手段および昇圧回路電圧検出手段の検出に係る電圧に基づいて、電源の瞬間停止により昇圧チョッパ回路の出力電圧が低下したものと判断すると、昇圧チョッパ回路の出力電圧を、一定時間かけて上昇させるように昇圧チョッパ回路の動作制御を行うものである。
【発明の効果】
【０００９】
この発明の放電灯点灯装置によれば、電源の瞬停が発生したものと判別すると、制御手段は、昇圧チョッパ回路のスイッチング素子を通常時の制御よりもオン期間を短くするように昇圧チョッパ回路の動作を制御し、一定時間かけて上昇させるようにしたので、交流電源１の瞬停復帰時に、昇圧チョッパ回路３の出力電圧がオーバーシュートしてしまうことがなく、放電灯点灯装置の回路部品へ過大な電圧が印加されるのを防ぐことができる。また、電源からの電力を遮断しないで制御を行うことで、放電灯の立ち消え等がなく、安定した点灯を維持することができる。
【図面の簡単な説明】
【００１０】
【図１】実施の形態１を示す図で、放電灯点灯装置等の構成を示す回路図。
【図２】実施の形態１を示す図で、制御回路の動作を示すフローチャートを表す図。
【図３】実施の形態２を示す図で、制御回路の動作を示すフローチャートを表す図。
【図４】実施の形態３を示す図で、制御回路の動作を示すフローチャートを表す図。
【図５】実施の形態４を示す図で、制御回路の動作を示すフローチャートを表す図。
【図６】実施の形態５を示す図で、制御回路の動作を示すフローチャートを表す図。
【図７】実施の形態６を示す図で、制御回路の動作を示すフローチャートを表す図。
【図８】実施の形態７を示す図で、制御回路の動作を示すフローチャートを表す図。
【図９】実施の形態８を示す図で、照明器具の構成を示す図。
【発明を実施するための形態】
【００１１】
実施の形態１．
図１は、本発明の実施の形態に係る放電灯点灯装置を中心とするシステムの構成を示す回路図である。
図１において、放電灯点灯装置は、交流電源１からの交流電力を直流電力に整流する整流回路２と、整流回路２の出力端子間に接続された昇圧チョッパ回路３と、昇圧チョッパ回路３の出力端子間に接続された電力変換部４と、制御回路５とを備えている。
【００１２】
昇圧チョッパ回路３は、インダクタ６を介して整流回路２の出力端子とスイッチング素子７とを並列に接続する。また、順極性のダイオード８を介して電力変換部４と接続する。
【００１３】
電力変換部４のインバータ回路は、昇圧チョッパ回路３の出力間に接続された第１の電解コンデンサ９および第２の電解コンデンサ１０の直列回路と、この第１の電解コンデンサ９および第２の電解コンデンサ１０の直列回路に並列に接続された、第１のスイッチング素子１１および第２のスイッチング素子１２の直列回路とから構成されている。
このインバータ回路は、昇圧チョッパ回路３からの直流電圧を交流電圧に変換し、電力変換部４の負荷回路に供給する。
【００１４】
電力変換部４の負荷回路は、インダクタ１３と、コンデンサ１４と、コンデンサ１５とを有している。そして、負荷回路には高圧放電灯１７が取り付けられる。
【００１５】
インダクタ１３およびコンデンサ１４は、第１のスイッチング素子１１および第２のスイッチング素子１２の接続点と、第１の電解コンデンサ９および第２の電解コンデンサ１０の接続点との間に、直列に接続される。
【００１６】
また、コンデンサ１５は、インダクタ１３およびコンデンサ１４の接続点とグランドとの間に接続される。
【００１７】
本発明における放電灯となる高圧放電灯１７は、昇圧トランス１６の２次巻線と直列に接続され、コンデンサ１４と並列に接続される。この高圧放電灯１７は、例えばＨＩＤランプ（高圧水銀ランプ）、高圧ナトリウムランプ、メタルハライドランプ等が用いられる。
【００１８】
始動回路１８は、昇圧トランス１６の２次巻線に高電圧パルスを印加するイグナイタの役割を果たす。
【００１９】
制御手段である制御回路５は、整流回路２の出力電圧を検出する整流回路電圧検出手段２１および昇圧チョッパ回路３の出力電圧を検出する昇圧回路電圧検出手段２２の検出に係る電圧に基づいて、昇圧チョッパ回路３のスイッチング素子７を、高周波でオン・オフ制御（スイッチング制御）させることにより、昇圧チョッパ回路３の出力電圧を所望の直流電圧に変換する。ここで、瞬停の発生を検出する必要があるため、一般的な瞬停の時間よりも短い間隔で検出を行うものとする。
【００２０】
また、高圧放電灯１７の両端間に印加される電圧を検出する放電灯電圧検出手段２３、高圧放電灯１７を流れる電流を検出する放電灯電流検出手段２４の検出に係る電圧、電流に基づいて、インバータ回路のスイッチング素子１１および１２を、高周波でオン・オフ制御させることによって、高圧放電灯１７の電力調整を行う。
【００２１】
ここで、制御回路５は、例えば、マイクロコンピュータ、ＤＳＰ（Digital Signal Processor）等の演算装置で構成される。そして、制御回路５は、復帰タイマを有している。制御装置５は、瞬停が発生したものと判別すると、復帰タイマに１以上の所定値（自然数）を設定する。この所定値は、瞬停から復帰した後に、通常時に行うフィードバック制御ではなく、瞬停復帰時に係る昇圧チョッパ回路３の出力電圧制御の処理を行う回数となる。そのため、出力電圧を上昇させるために費やす一定時間との関係で所定値を設定する。
以上、高圧放電灯点灯装置の構成について説明した。
【００２２】
次に、昇圧チョッパ回路３の出力電圧が、交流電源１の瞬停発生によりオーバーシュートする現象について説明する。
【００２３】
制御回路５は、上記のように、昇圧チョッパ回路３の出力電圧が予め設定した目標電圧となるように、検出した整流回路２および昇圧チョッパ回路３の出力電圧に応じて、昇圧チョッパ回路３のスイッチング素子７を高周波でオン・オフ制御する。
【００２４】
このような放電灯点灯装置において、交流電源１の瞬停により、昇圧チョッパ回路３の出力電圧が低下すると、昇圧チョッパ回路３は出力電圧を目標値に近づけるように動作する。このため、昇圧チョッパ回路３のスイッチング素子７のオン期間が長くなり（周波数が低下する）、交流電源１の瞬停復帰時において大量の電流が供給されてしまい、昇圧チョッパ回路３の出力電圧が目標値を瞬間的に大きく上回ってしまう。
【００２５】
こうした交流電源１の瞬停に起因する不都合を回避するための制御回路５による装置の動作に係る処理について、次に説明する。
【００２６】
図２は実施の形態１に係る制御回路５の動作を示すフローチャートである。以下、図２の各ステップに基づいて説明する。
【００２７】
（Ｓ１０１）
制御回路５は、整流回路電圧検出手段２１および昇圧回路電圧検出手段２２の検出に係る電圧を整流回路２および昇圧チョッパ回路３の出力電圧として検出する。
【００２８】
（Ｓ１０２）
制御回路５は、検出した整流回路２および昇圧チョッパ回路３の出力電圧に応じて、昇圧チョッパ回路３のスイッチング素子７のオン期間を算出する。Ｓ１０２において算出するオン期間は、通常時に行う、整流回路２および昇圧チョッパ回路３の出力電圧に基づくフィードバック制御において算出する内容と同じものとし、例えば、昇圧チョッパ回路３が行う昇圧の目標値に基づいて算出する。
【００２９】
（Ｓ１０３）
制御回路５は、検出した整流回路２の出力電圧に基づいて、交流電源１の瞬停が発生したかどうかを判別する。交流電源１の瞬停が発生していないと判別した場合には、ステップＳ１０５に移行する。ここで、交流電源１の瞬停が発生したかどうかを判別するための基準については特に限定するものではない。例えば、整流回路２の出力電圧が０Ｖの状態を１回検出する、所定回数連続して検出する等を基準として瞬停が発生したものと判別するようにしてもよい（以下、同じ）。
【００３０】
（Ｓ１０４）
一方、ステップＳ１０３において、交流電源１の瞬停が発生したものと判別すると、制御回路５は、復帰タイマに所定値を設定する。この設定により、交流電源１の瞬停から復帰した際に、所定値に対応する処理回数分、昇圧チョッパ回路３のスイッチング素子７を通常時に行うフィードバック制御（通常のフィードバック制御）よりもオン期間を短くすることで、昇圧チョッパ回路３の出力電圧を一定時間かけて上昇させることができる。
【００３１】
（Ｓ１０５）
ステップＳ１０３で交流電源１が瞬停したものと判別しなかった場合、制御回路５は、復帰タイマの値に基づいて、交流電源１の瞬停から復帰した直後であるかどうかを判別する。交流電源１の瞬停から復帰した直後でないと判別すると、ステップＳ１０８に移行する。ここで、本実施の形態では、復帰タイマの値が０であるかどうかにより瞬停から復帰した直後であるかどうかの判別を行い、復帰タイマの値が０であれば瞬停から復帰した直後ではないと判別する（以下においても同じであるものとする）。
【００３２】
（Ｓ１０６）
ステップＳ１０５で交流電源１の瞬停から復帰した直後であると判別すると、制御回路５は、復帰タイマの値から１を減算する。ここでは１減算するものとしているが、この値に限定するものではない（以下においても同じである）。
【００３３】
（Ｓ１０７）
ステップＳ１０３で交流電源１の瞬停が発生したものと判別した場合、またはステップＳ１０５で交流電源１の瞬停から復帰した直後であると判別した場合、制御回路５は、ステップＳ１０２で算出したスイッチング素子７のオン期間に１以下の係数を乗算する。ここで、スイッチング素子７のオン期間が通常時に行うフィードバック制御より短くなるようにするため、係数については、１以下の任意の値を予め設定しておくようにする。この係数を小さくするに従って、スイッチング素子７のオン期間が短くなり、昇圧チョッパ回路３の出力電圧において、上昇する電圧幅を小さくすることができる（このため、所定の電圧まで昇圧させる時間も長くなる）。
【００３４】
（Ｓ１０８）
制御回路５は、スイッチング素子７のオン期間を確定して、ステップＳ１０１に移行する。ここで、交流電源１の瞬停が発生したものと判別した場合、瞬停から復帰した直後であると判別した場合にはステップＳ１０７で算出したオン期間が確定することになり、それ以外の場合にはステップＳ１０２で算出したオン期間が確定することになる。
【００３５】
以上のように、実施の形態１に係る放電灯点灯装置によれば、交流電源１の瞬停が発生したものと判別すると、制御回路５は、昇圧チョッパ回路３のスイッチング素子７を、通常時に行うフィードバック制御よりもオン期間を短くするように、スイッチング動作の制御を行うようにしたので、交流電源１の瞬停復帰時に、昇圧チョッパ回路３の出力電圧がオーバーシュートしてしまうことがない。このため、電力変換部４の回路部品へ過大な電圧が印加されるのを防ぐことができる。また、電力を遮断せずに行うことができるので、例えば高圧放電灯の立ち消え等もなく、高圧放電灯１７の安定した点灯を維持することができる。
【００３６】
実施の形態２．
上記の実施の形態１では、交流電源１の瞬停が発生した場合に、昇圧チョッパ回路３のスイッチング素子７を通常のフィードバック制御よりもオン期間を短くして一定時間で昇圧させる制御を行うことについて説明した。本実施の形態では、交流電源１の瞬停が発生した際は、昇圧チョッパ回路３の出力電圧値に応じて、スイッチング素子７のオン期間を短くする割合を変えた場合について説明する。ここで、本実施の形態における放電灯点灯装置の構成は、上記実施の形態１で説明した図１の構成と同様であるため、符号等を流用して説明する。
【００３７】
図３は実施の形態２に係る制御回路５の動作を示すフローチャートである。以下、図３の各ステップに基づいて説明する。
【００３８】
（Ｓ２０１）
制御回路５は、整流回路電圧検出手段２１および昇圧回路電圧検出手段２２の検出に係る電圧を整流回路２および昇圧チョッパ回路３の出力電圧として検出する。
【００３９】
（Ｓ２０２）
制御回路５は、検出した整流回路２および昇圧チョッパ回路３の出力電圧に応じて、昇圧チョッパ回路３のスイッチング素子７のオン期間を算出する。
【００４０】
（Ｓ２０３）
制御回路５は、検出した整流回路２の出力電圧に基づいて、交流電源１の瞬停が発生しているかどうかを判別する。交流電源１の瞬停が発生していないと判別した場合には、ステップＳ２０５に移行する。
【００４１】
（Ｓ２０４）
一方、ステップＳ２０３において、交流電源１の瞬停が発生したものと判別すると、制御回路５は、復帰タイマに所定値を設定する。この設定により、交流電源１の瞬停から復帰した際に、所定値に対応する処理回数分、昇圧チョッパ回路３のスイッチング素子７を通常のフィードバック制御よりもオン期間を短くすることで、昇圧チョッパ回路３の出力電圧を一定時間かけて上昇させることができる。
【００４２】
（Ｓ２０５）
ステップＳ２０３で交流電源１が瞬停したものと判別しなかった場合、制御回路５は、復帰タイマの値に基づいて、交流電源１の瞬停から復帰した直後であるかどうかを判別する。交流電源１の瞬停から復帰した直後でないと判別すると、ステップＳ２０９に移行する。
【００４３】
（Ｓ２０６）
ステップＳ２０５で交流電源１の瞬停から復帰した直後であると判別すると、制御回路５は、復帰タイマの値から１を減算する。
【００４４】
（Ｓ２０７）
ステップＳ２０３で交流電源１の瞬停が発生したものと判別した場合、またはステップＳ２０５で交流電源１の瞬停から復帰した直後であると判別した場合、制御回路５は、昇圧チョッパ回路３の検出電圧と目標電圧との差分に基づいて係数を算出する。
ここで、係数は、瞬停復帰時のスイッチング素子７のオン期間を通常のフィードバック制御より短くするためのものである。そこで、例えば差分が０の場合には係数を１（変化なし）とし、差分が大きくなるほど係数を小さくしていくようにして、スイッチング素子７のオン期間を短くし、昇圧チョッパ回路３の出力電圧において、上昇する電圧幅が小さくなるようにする。
【００４５】
（Ｓ２０８）
制御回路５は、ステップＳ２０２で算出したスイッチング素子７のオン期間に、ステップ２０７で算出した係数を乗算した新たなオン期間を算出する。
【００４６】
（Ｓ２０９）
制御回路５は、スイッチング素子７のオン期間を確定して、ステップＳ２０１に移行する。ここで、交流電源１の瞬停が発生したものと判別した場合、瞬停から復帰した直後であると判別した場合にはステップＳ２０８で算出したオン期間が確定することになり、それ以外の場合にはステップＳ２０２で算出したオン期間が確定することになる。
【００４７】
以上のように、実施の形態２に係る放電灯点灯装置によれば、交流電源１の瞬停が発生したものと判別すると、制御回路５は、スイッチング素子７のオン期間を短くする制御を行うようにしたので、交流電源１の瞬停復帰時に、オーバーシュートによる過大な電圧の印加を防ぎ、高圧放電灯１７の安定した点灯を維持することができる。また、昇圧チョッパ回路３の出力電圧と目標電圧との差分に基づいてスイッチング素子７のオン期間を設定するようにしたので、交流電源１の瞬停復帰時における昇圧チョッパ回路３の出力電圧の上昇電圧幅を最適化し、電圧のオーバーシュートをさらに抑え、昇圧チョッパ回路３の出力電圧が目標電圧に安定するまで時間を短くすることができる。
【００４８】
実施の形態３．
実施の形態２では、昇圧チョッパ回路３の出力電圧値に応じて、スイッチング素子７のオン期間を短くする割合を変えることについて説明した。本実施の形態では、高圧放電灯１７の両端間の電圧または流れる電流に応じて、スイッチング素子７のオン期間を短くする割合を変える実施の形態について説明する。ここで、本実施の形態における放電灯点灯装置の構成は、上記実施の形態１で説明した図１の構成と同様であるため、符号等を流用して説明する。
【００４９】
図４は実施の形態３に係る制御回路５の動作を示すフローチャートである。以下、図４の各ステップに基づいて説明する。
【００５０】
（Ｓ３０１）
制御回路５は、整流回路電圧検出手段２１および昇圧回路電圧検出手段２２の検出に係る電圧を整流回路２および昇圧チョッパ回路３の出力電圧として検出する。また、放電灯電圧検出手段２３の検出に係る高圧放電灯１７の両端の電圧または放電灯電流検出手段２４の検出に係る電流の値を検出する。
【００５１】
（Ｓ３０２）
制御回路５は、検出した整流回路２および昇圧チョッパ回路３の出力電圧に応じて、昇圧チョッパ回路３のスイッチング素子７のオン期間を算出する。
【００５２】
（Ｓ３０３）
制御回路５は、検出した整流回路２の出力電圧に基づいて、交流電源１の瞬停が発生しているかどうかを判別する。交流電源１の瞬停が発生していないと判別した場合には、ステップＳ３０５に移行する。
【００５３】
（Ｓ３０４）
一方、ステップＳ３０３において、交流電源１の瞬停が発生したものと判別すると、制御回路５は、復帰タイマに所定値を設定する。この設定により、交流電源１の瞬停から復帰した際に、所定値に対応する処理回数分、昇圧チョッパ回路３のスイッチング素子７を通常のフィードバック制御よりもオン期間を短くすることで、昇圧チョッパ回路３の出力電圧を一定時間かけて上昇させることができる。
【００５４】
（Ｓ３０５）
ステップＳ３０３で交流電源１が瞬停したものと判別しなかった場合、制御回路５は、復帰タイマの値に基づいて、交流電源１の瞬停から復帰した直後であるかどうかを判別する。交流電源１の瞬停から復帰した直後でないと判別すると、ステップＳ３０９に移行する。
【００５５】
（Ｓ３０６）
ステップＳ３０５で交流電源１の瞬停から復帰した直後であると判別すると、制御回路５は、復帰タイマの値から１を減算する。
【００５６】
（Ｓ３０７）
ステップＳ３０３で交流電源１の瞬停であると判別した場合、またはステップＳ３０５で交流電源１の瞬停から復帰した直後であると判別した場合、制御回路５は、放電灯電圧検出手段２３の検出に係る高圧放電灯１７の両端の電圧または放電灯電流検出手段２４の検出に係る電流の値に基づいて係数を算出する。
この係数については、高圧放電灯１７が定格電力で点灯する際の電圧値または電流値の場合を１とし、これよりも電圧値が大きくなる、または電流値が小さくなるに従って係数を小さくなるような式に基づいて算出する。算出した係数により、スイッチング素子７のオン期間を短くし、昇圧チョッパ回路３の出力電圧において、上昇する電圧幅が小さくなるようにする。
【００５７】
（Ｓ３０８）
制御回路５は、ステップＳ３０２で算出したスイッチング素子７のオン期間に、ステップ３０７で算出した係数を乗算した新たなオン期間を算出する。
【００５８】
（Ｓ３０９）
制御回路５は、スイッチング素子７のオン期間を確定させて、ステップＳ３０１に移行する。ここで、交流電源１の瞬停が発生したものと判別した場合、瞬停から復帰した直後であると判別した場合にはステップＳ３０８で算出したオン期間を確定させることになり、それ以外の場合にはステップＳ３０２で算出したオン期間を確定させることになる。
【００５９】
以上のように、実施の形態３に係る放電灯点灯装置によれば、交流電源１の瞬停が発生したものと判別すると、制御回路５は、スイッチング素子７のオン期間を短くする制御を行うようにしたので、交流電源１の瞬停復帰時に、オーバーシュートによる過大な電圧の印加を防ぎ、高圧放電灯１７の安定した点灯を維持することができる。また、スイッチング素子７のオン期間が同じであっても、高圧放電灯１７を含む負荷のインピーダンスが高くなるに従って、瞬停復帰時のオーバーシュート電圧が大きくなる。このため、高圧放電灯１７の状態により、高圧放電灯１７の両端間の電圧が大きくなる、または電流が小さくなるに従って、スイッチング素子７のオン期間が短くなるようにオン期間を設定し、制御するようにしたので、交流電源１の瞬停復帰時における昇圧チョッパ回路３の出力電圧の上昇電圧幅を最適化し、オーバーシュートをさらに抑え、昇圧チョッパ回路３の出力電圧が目標電圧に安定するまでの時間を短くすることができる。
【００６０】
ここで、制御回路５には、実施の形態１〜２で説明した処理と実施の形態３で説明した処理とを任意に組み合わせた処理を行わせるようにすることができる。
【００６１】
実施の形態４.
実施の形態１から３では、交流電源１において瞬停が発生した際に、昇圧チョッパ回路３のスイッチング素子７のオン期間を短くする制御を行う放電灯点灯装置について説明した。本実施の形態では、交流電源１の瞬停が発生した際に、スイッチング素子７の休止期間を長くする実施の形態を示す。ここで、本実施の形態における放電灯点灯装置の構成は、上記実施の形態１で説明した図１の構成と同様であるため、符号等を流用して説明する。
【００６２】
まず、昇圧チョッパ回路３のスイッチング素子７のオン・オフ制御について説明する。
【００６３】
制御回路５は、昇圧チョッパ回路３の出力電圧が予め設定した目標電圧となるように、検出した整流回路２および昇圧チョッパ回路３の出力電圧に応じて、昇圧チョッパ回路３のスイッチング素子７のオン期間を算出する。
一方、スイッチング素子７の休止期間は、オン期間が終了した後、昇圧チョッパ回路３のインダクタ６に流れる電流のゼロクロスが検出され、再びスイッチング素子７がオンとなるまでの間となる。
【００６４】
このような放電灯点灯装置において、交流電源１の瞬停により、昇圧チョッパ回路３の出力電圧が低下すると、昇圧チョッパ回路３は出力電圧をはやく目標値に近づけるように動作する。このため、昇圧チョッパ回路３のスイッチング素子７のオン期間が長くなる。一方、昇圧チョッパ回路３のインダクタ６に流れる電流は減少するため、スイッチング素子７の休止期間は短くなり、交流電源１の瞬停から復帰時において大量の電流が供給されてしまい、昇圧チョッパ回路３の出力電圧が目標値を瞬間的に大きく上回ってしまう。
【００６５】
こうした交流電源１の瞬停に起因する不都合を回避するための制御回路５による装置の動作に係る処理について、次に説明する。
【００６６】
図５は実施の形態４に係る制御回路５の動作を示すフローチャートである。以下、図５の各ステップに基づいて説明する。
【００６７】
（Ｓ４０１）
制御回路５は、整流回路電圧検出手段２１および昇圧回路電圧検出手段２２の検出に係る電圧を整流回路２および昇圧チョッパ回路３の出力電圧として検出する。
【００６８】
（Ｓ４０２）
制御回路５は、昇圧チョッパ回路３のスイッチング素子７の休止期間の値を０に設定する。この休止期間は、上記のように、昇圧チョッパ回路３のインダクタ６に流れる電流のゼロクロスを検出されて再びオン期間が開始される前に設ける期間であるものとし、休止期間中は、昇圧チョッパ回路３のスイッチング素子７がオフとなるようにする。
【００６９】
（Ｓ４０３）
制御回路５は、検出した整流回路２の出力電圧に基づいて、交流電源１の瞬停が発生したかどうかを判別する。交流電源１の瞬停が発生していないと判別した場合には、ステップＳ４０５に移行する。
【００７０】
（Ｓ４０４）
一方、ステップＳ４０３において、交流電源１の瞬停が発生したものと判別すると、制御回路５は、復帰タイマに所定値を設定する。この設定により、交流電源１の瞬停から復帰した際に、所定値に対応する処理回数分、昇圧チョッパ回路３のスイッチング素子７を通常のフィードバック制御よりも休止期間を長くすることで、昇圧チョッパ回路３の出力電圧を一定時間かけて上昇させることができる。
【００７１】
（Ｓ４０５）
ステップＳ４０３で交流電源１が瞬停したものと判別しなかった場合、制御回路５は、復帰タイマの値に基づいて、交流電源１の瞬停から復帰した直後であるかどうかを判別する。交流電源１の瞬停から復帰した直後でないと判別すると、ステップＳ４０８に移行する。
【００７２】
（Ｓ４０６）
ステップＳ４０５で交流電源１の瞬停から復帰した直後であると判別すると、制御回路５は、復帰タイマの値から１を減算する。
【００７３】
（Ｓ４０７）
ステップＳ４０３で交流電源１の瞬停であると判別した場合、またはステップＳ４０５で交流電源１の瞬停から復帰した直後であると判別した場合、制御回路５は、ステップＳ４０２で設定したスイッチング素子７の休止期間に０よりも大きい期間設定値を加算する。期間設定値を大きく設定するに従って、スイッチング素子７の休止期間が長くなり、昇圧チョッパ回路３の出力電圧において、上昇する電圧幅を小さくすることができる（このため、所定の電圧まで昇圧させる時間も長くなる）。
【００７４】
（Ｓ４０８）
制御回路５は、スイッチング素子７の休止期間を確定して、ステップＳ４０１に移行する。ここで、交流電源１の瞬停が発生したものと判別した場合、瞬停から復帰した直後であると判別した場合には、ステップＳ４０７で設定した休止期間（期間設定値となる）を確定することになり、それ以外の場合にはステップＳ４０２で設定した休止期間（０となる）を確定することになる。
【００７５】
以上のように、実施の形態４に係る放電灯点灯装置によれば、交流電源１の瞬停が発生したものと判別すると、制御回路５は、スイッチング素子７の休止期間（オフ期間）を長くする制御を行うようにしたので、交流電源１の瞬停復帰時に、オーバーシュートによる過大な電圧の印加を防ぎ、高圧放電灯１７の安定した点灯を維持することができる。
【００７６】
ここで、制御回路５には、実施の形態１〜３で説明した処理と実施の形態４で説明した処理とを任意に組み合わせた処理を行わせるようにすることができる。
【００７７】
実施の形態５.
上記の実施の形態４では、交流電源１の瞬停が発生した場合に、昇圧チョッパ回路３のスイッチング素子７を通常のフィードバック制御よりも休止期間を長くする制御を行うことについて説明した。本実施の形態では、交流電源１の瞬停が発生した際は、昇圧チョッパ回路３の出力電圧値に応じて、スイッチング素子７の休止期間を長くする割合を変える実施の形態について説明する。ここで、本実施の形態における放電灯点灯装置の構成は、上記実施の形態１で説明した図１の構成と同様であるため、符号等を流用して説明する。
【００７８】
図６は実施の形態５に係る制御回路５の動作を示すフローチャートである。以下、図６の各ステップに基づいて説明する。
【００７９】
（Ｓ５０１）
制御回路５は、整流回路電圧検出手段２１および昇圧回路電圧検出手段２２の検出に係る電圧を整流回路２および昇圧チョッパ回路３の出力電圧として検出する。
【００８０】
（Ｓ５０２）
制御回路５は、実施の形態４と同様に、昇圧チョッパ回路３のスイッチング素子７の休止期間を０に設定する。
【００８１】
（Ｓ５０３）
制御回路５は、検出した整流回路２の出力電圧に基づいて、交流電源１の瞬停が発生したかどうかを判別する。交流電源１の瞬停が発生していないと判別した場合には、ステップＳ５０５に移行する。
【００８２】
（Ｓ５０４）
一方、ステップＳ５０３において、交流電源１の瞬停が発生したものと判別すると、制御回路５は、復帰タイマに所定値を設定する。この設定により、交流電源１の瞬停から復帰した際に、所定値に対応する処理回数分、昇圧チョッパ回路３のスイッチング素子７を通常のフィードバック制御よりも休止期間を長くすることで、昇圧チョッパ回路３の出力電圧を一定時間かけて上昇させることができる。
【００８３】
（Ｓ５０５）
ステップＳ５０３で交流電源１が瞬停したものと判別しなかった場合、制御回路５は、復帰タイマの値に基づいて、交流電源１の瞬停から復帰した直後であるかどうかを判別する。交流電源１の瞬停から復帰した直後でないと判別すると、ステップＳ５０９に移行する。
【００８４】
（Ｓ５０６）
ステップＳ５０５で交流電源１の瞬停から復帰した直後であると判別すると、制御回路５は、復帰タイマの値から１を減算する。
【００８５】
（Ｓ５０７）
ステップＳ５０３で交流電源１の瞬停であると判別した場合、またはステップＳ４０５で交流電源１の瞬停から復帰した直後であると判別した場合、制御回路５は、昇圧チョッパ回路３の検出電圧と目標電圧との差分に基づいて期間設定値を算出する。
ここで、昇圧チョッパ回路３の検出電圧と目標電圧との差分が０の場合に期間設定値が０となるようにする。そして、差分が大きくなるに従って期間設定値が大きくなるようにすることで、スイッチング素子７の休止期間を長くし、昇圧チョッパ回路３の出力電圧において、上昇する電圧幅が小さくなるようにする。
【００８６】
（Ｓ５０８）
制御回路５は、ステップＳ５０２で設定したスイッチング素子７の休止期間に、ステップ５０７で算出した期間設定値を加算した新たな休止期間を算出する。
【００８７】
（Ｓ５０９）
制御回路５は、スイッチング素子７の休止期間を確定して、ステップＳ５０１に移行する。ここで、交流電源１の瞬停が発生したものと判別した場合、瞬停から復帰した直後であると判別した場合にはステップＳ５０８で算出した休止期間を確定することになり、それ以外の場合にはステップＳ５０２で設定した休止期間を確定することになる。
【００８８】
以上のように、実施の形態５に係る放電灯点灯装置によれば、交流電源１の瞬停が発生したものと判別すると、制御回路５は、スイッチング素子７の休止期間を長くする制御を行うようにしたので、交流電源１の瞬停復帰時に、オーバーシュートによる過大な電圧の印加を防ぎ、高圧放電灯１７の安定した点灯を維持することができる。また、昇圧チョッパ回路３の出力電圧と目標電圧との差分に基づいてスイッチング素子７の休止期間を設定するようにしたので、交流電源１の瞬停復帰時における昇圧チョッパ回路３の出力電圧の上昇電圧幅を最適化し、電圧のオーバーシュートをさらに抑え、昇圧チョッパ回路３の出力電圧が目標電圧に安定するまで時間を短くすることができる。
【００８９】
ここで、制御回路５には、実施の形態１〜３で説明した処理と実施の形態５で説明した処理とを任意に組み合わせた処理を行わせるようにすることができる。
【００９０】
実施の形態６.
上記の実施の形態５では、昇圧チョッパ回路３の出力電圧値に応じて、スイッチング素子７の休止期間を長くする割合を変えることについて説明した。本実施の形態では、高圧放電灯１７の両端間の電圧または流れる電流に応じて、スイッチング素子７の休止期間を長くする割合を変える実施の形態について説明する。ここで、本実施の形態における放電灯点灯装置の構成は、上記実施の形態１で説明した図１の構成と同様であるため、符号等を流用して説明する。
【００９１】
図７は実施の形態６に係る制御回路５の動作を示すフローチャートである。以下、図７の各ステップに基づいて説明する。
【００９２】
（Ｓ６０１）
制御回路５は、整流回路電圧検出手段２１および昇圧回路電圧検出手段２２の検出に係る電圧を整流回路２および昇圧チョッパ回路３の出力電圧として検出する。また、放電灯電圧検出手段２３の検出に係る高圧放電灯１７の両端の電圧または放電灯電流検出手段２４の検出に係る電流の値を検出する。
【００９３】
（Ｓ６０２）
制御回路５は、実施の形態４、５と同様に、昇圧チョッパ回路３のスイッチング素子７の休止期間を０に設定する。
【００９４】
（Ｓ６０３）
制御回路５は、検出した整流回路２の出力電圧に基づいて、交流電源１の瞬停が発生したかどうかを判別する。交流電源１の瞬停が発生していないと判別した場合には、ステップＳ６０５に移行する。
【００９５】
（Ｓ６０４）
一方、ステップＳ６０３において、交流電源１の瞬停が発生したものと判別すると、制御回路５は、復帰タイマに所定値を設定する。この設定により、交流電源１の瞬停から復帰した際に、所定値に対応する処理回数分、昇圧チョッパ回路３のスイッチング素子７を通常のフィードバック制御よりも休止期間を長くすることで、昇圧チョッパ回路３の出力電圧を一定時間かけて上昇させることができる。
【００９６】
（Ｓ６０５）
ステップＳ６０３で交流電源１が瞬停したものと判別しなかった場合、制御回路５は、復帰タイマの値に基づいて、交流電源１の瞬停から復帰した直後であるかどうかを判別する。交流電源１の瞬停から復帰した直後でないと判別すると、ステップＳ６０９に移行する。
【００９７】
（Ｓ６０６）
ステップＳ６０５で交流電源１の瞬停から復帰した直後であると判別すると、制御回路５は、復帰タイマの値から１を減算する。
【００９８】
（Ｓ６０７）
ステップＳ６０３で交流電源１の瞬停であると判別した場合、またはステップＳ６０５で交流電源１の瞬停から復帰した直後であると判別した場合、制御回路５は、放電灯電圧検出手段２３の検出に係る高圧放電灯１７の両端の電圧または放電灯電流検出手段２４の検出に係る電流の値に基づいて期間設定値を算出する。このとき、電圧値が大きくなる、または電流値が小さくなるに従って期間設定値が大きくなるようにする。そして、算出した期間設定値により、スイッチング素子７の休止期間を長くし、昇圧チョッパ回路３の出力電圧において、上昇する電圧幅が小さくなるようにする。
【００９９】
（Ｓ６０８）
制御回路５は、ステップＳ６０２で設定したスイッチング素子７の休止期間に、ステップ６０７で算出した期間設定値を加算した新たな休止期間を算出する。
【０１００】
（Ｓ６０９）
制御回路５は、スイッチング素子７の休止期間を確定して、ステップＳ６０１に移行する。ここで、交流電源１の瞬停が発生したものと判別した場合、瞬停から復帰した直後であると判別した場合にはステップＳ６０８で算出した休止期間を確定することになり、それ以外の場合にはステップＳ６０２で設定した休止期間を確定することになる。
【０１０１】
以上のように、実施の形態６に係る放電灯点灯装置によれば、交流電源１の瞬停が発生したものと判別すると、制御回路５は、スイッチング素子７の休止期間を長くする制御を行うようにしたので、交流電源１の瞬停復帰時に、オーバーシュートによる過大な電圧の印加を防ぎ、高圧放電灯１７の安定した点灯を維持することができる。また、スイッチング素子７のオン期間が同じであっても、高圧放電灯１７を含む負荷のインピーダンスが高くなるに従って、瞬停復帰時のオーバーシュート電圧が大きくなる。このため、高圧放電灯１７の状態により、高圧放電灯１７の両端間の電圧が大きくなる、または電流が小さくなるに従って、スイッチング素子７の休止期間が長くなるように休止期間を設定し、制御するようにしたので、交流電源１の瞬停復帰時における昇圧チョッパ回路３の出力電圧の上昇電圧幅を最適化し、オーバーシュートをさらに抑え、昇圧チョッパ回路３の出力電圧が目標電圧に安定するまでの時間を短くすることができる。
【０１０２】
ここで、制御回路５には、実施の形態１〜３で説明した処理と実施の形態６で説明した処理とを任意に組み合わせた処理を行わせるようにすることができる。
【０１０３】
実施の形態７．
実施の形態１〜６では、制御回路５が、交流電源１において瞬停が発生したと判別した直後から、昇圧チョッパ回路３のスイッチング素子７に対し、通常のフィードバック制御よりもオン期間を短くする、または休止期間を長くする制御を行う放電灯点灯装置を説明した。
【０１０４】
本実施の形態では、交流電源１において瞬停が発生したと判別した場合でも、昇圧チョッパ回路３の出力電圧があらかじめ設定した許容下限値よりも低下していないと判断すると、通常のフィードバック制御を行うようにした実施の形態を示すものである。ここで、本実施の形態における放電灯点灯装置の構成は、上記実施の形態１で説明した図１の構成と同様であり、同一箇所には同一の符号を付する。
【０１０５】
まず、交流電源１の瞬停から復帰した際、昇圧チョッパ回路３の出力電圧によって、オーバーシュートする電圧が異なる現象について説明する。
【０１０６】
制御回路５は、上記のように、昇圧チョッパ回路３の出力電圧が予め設定した目標電圧となるように、検出した整流回路２および昇圧チョッパ回路３の出力電圧に応じて、昇圧チョッパ回路３のスイッチング素子７を高周波でオン・オフ制御する。
【０１０７】
このような放電灯点灯装置において、交流電源１の瞬停により、昇圧チョッパ回路３の出力電圧が低下すると、昇圧チョッパ回路３は出力電圧をはやく目標値に近づけるように動作する。このため、昇圧チョッパ回路３の出力電圧が低下するに従って、昇圧チョッパ回路３のスイッチング素子７のオン期間が長くなる。昇圧チョッパ回路３の出力電圧が著しく低下した場合には、よりはやく目標値に近づけるように動作するため、オーバーシュート電圧も大きくなる。
【０１０８】
一方で、昇圧チョッパ回路３の出力電圧の低下幅が小さい場合には、交流電源１の瞬停から復帰しても、オーバーシュート電圧が回路の許容上限値を超えないことがある。
【０１０９】
このことから、昇圧チョッパ回路３の出力電圧に許容下限値を設け、許容下限値よりも低い出力電圧にならなければ、通常のフィードバック制御を続けるようにする。ここで、許容下限値については、交流電源１の瞬停復帰時におけるオーバーシュート電圧が回路の許容上限値を超えないような値とする。
【０１１０】
そして、許容下限値よりも低い出力電圧であれば、実施の形態１〜６で示したように、通常のフィードバック制御よりもオン期間を短くする、または休止期間を長くする制御を行うようにする。
【０１１１】
図８は実施の形態７に係る許容下限値に基づく処理を実施の形態１で説明した動作処理と組み合わせた場合の制御回路５の動作を示すフローチャートである。以下、図８の各ステップに基づいて説明する。
【０１１２】
（Ｓ７０１）
制御回路５は、整流回路電圧検出手段２１および昇圧回路電圧検出手段２２の検出に係る電圧を整流回路２および昇圧チョッパ回路３の出力電圧として検出する。
【０１１３】
（Ｓ７０２）
制御回路５は、検出した整流回路２および昇圧チョッパ回路３の出力電圧に応じて、昇圧チョッパ回路３のスイッチング素子７のオン期間を算出する。
【０１１４】
（Ｓ７０３）
制御回路５は、検出した整流回路２の出力電圧に基づいて、交流電源１の瞬停が発生したかどうかを判別する。交流電源１の瞬停が発生していないと判別した場合には、ステップＳ７０６に移行する。
【０１１５】
（Ｓ７０４）
一方、ステップＳ７０３において、交流電源１の瞬停が発生したものと判別すると、制御回路５は、検出した昇圧チョッパ回路３の出力電圧が、予め設定した許容下限値よりも小さい値であるかどうかを判別する。この許容下限値については、上記のように、交流電源１の瞬停復帰時のオーバーシュート電圧が回路の許容上限値を超えないような値とする。検出した昇圧チョッパ回路３の出力電圧が、許容下限値より小さい値でない（許容下限値以上の値である）と判別すると、ステップＳ７０９に移行する。
【０１１６】
（Ｓ７０５）
ステップＳ７０４において、検出した昇圧チョッパ回路３の出力電圧が、許容下限値よりも小さいと判別すると、制御回路５は、復帰タイマに所定値を設定する。この設定により、交流電源１の瞬停から復帰した際に、所定値に対応する処理回数分、昇圧チョッパ回路３のスイッチング素子７を通常のフィードバック制御よりもオン期間を短くすることで、昇圧チョッパ回路３の出力電圧を一定時間かけて上昇させることができる。
【０１１７】
（Ｓ７０６）
ステップＳ７０３で交流電源１が瞬停したものと判別しなかった場合、制御回路５は、復帰タイマの値に基づいて、交流電源１の瞬停から復帰した直後であるかどうかを判別する。交流電源１の瞬停から復帰した直後でないと判別すると、ステップＳ７０９に移行する。
【０１１８】
（Ｓ７０７）
ステップＳ７０６で交流電源１の瞬停から復帰した直後であると判別すると、制御回路５は、復帰タイマの値から１を減算する。
【０１１９】
（Ｓ７０８）
ステップＳ７０３で交流電源１の瞬停が発生したものと判別した場合、またはステップＳ７０６で交流電源１の瞬停から復帰した直後であると判別した場合、制御回路５は、ステップＳ７０２で算出したスイッチング素子７のオン期間に１以下の係数を乗算する。この係数を小さくするに従って、スイッチング素子７のオン期間が短くなり、昇圧チョッパ回路３の出力電圧において、上昇する電圧幅を小さくすることができる（このため、所定の電圧まで昇圧させる時間も長くなる）。
【０１２０】
（Ｓ７０９）
制御回路５は、スイッチング素子７のオン期間を確定して、ステップＳ７０１に移行する。ここで、交流電源１の瞬停が発生したものと判別した場合、瞬停から復帰した直後であると判別した場合にはステップＳ７０８で算出したオン期間が確定することになり、それ以外の場合にはステップＳ７０２で算出したオン期間が確定することになる。
【０１２１】
以上のように、実施の形態７に係る放電灯点灯装置によれば、交流電源１の瞬停が発生したものと判別しても、制御回路５は、昇圧チョッパ回路３の出力電圧が許容下限値より低くないと判別し、瞬停復帰時のオーバーシュートが生じない場合には、通常のフィードバック制御を継続することにより、高圧放電灯１７の安定した点灯を維持することができる。
【０１２２】
ここで、上記のように、制御回路５には、実施の形態１〜６で説明した処理と実施の形態７で説明した処理とを任意に組み合わせた処理を行わせるようにすることができる。
【０１２３】
実施の形態８．
上記の各実施形態では特に示さなかったが、例えば制御回路５に記憶装置を設け、各実施の形態において、スイッチング素子７のオン期間、休止期間を算出等するための係数の値、期間設定値を予め格納しておいてもよい。
【０１２４】
また、上記の各実施形態では、電力変換部４のインバータ回路をハーフブリッジ型で構成された例を示したが、フルブリッジ型で構成するようにしてもよい。また、始動回路１８を昇圧トランスの２次巻線に高電圧パルスを印加するイグナイタ方式とした例を示したが、コイルとコンデンサによる共振始動方式でもよい。また、負荷回路の構成についても、限定するものではない。
【０１２５】
実施の形態９．
図９は実施の形態９に係る照明器具３００の構成を示す図である。図９に示すように、本実施の形態の照明器具３００は、上記実施の形態１〜８の何れかの放電灯点灯装置１００と、この放電灯点灯装置１００の負荷回路に取り付けられる高圧放電灯１７と、リフレクター２００とを備えている。
【０１２６】
このような構成により、本実施の形態における照明器具３００においては、交流電源１の瞬停が発生した際、照明器具３００における放電灯点灯装置１００が有する制御回路５が、上記実施の形態１〜７の何れかの処理を行う。そして、昇圧チョッパ回路３のスイッチング素子７の動作制御を行うようにする。
【０１２７】
以上のように本実施の形態の照明器具３００においては、上記実施の形態１〜８の何れかの放電灯点灯装置１００を備える。これにより、交流電源１の瞬停から復帰した際に、昇圧チョッパ回路３の出力電圧がオーバーシュートにより回路部品へ過大な電圧が印加されるのを防ぐとともに、高圧放電灯１７の安定した点灯を維持することができる。
【産業上の利用可能性】
【０１２８】
本発明の活用例として、上記の各実施形態では、主として高圧放電灯１７を点灯させる高圧放電灯点灯装置について説明したが、これに限定するものではなく、他の種類の放電灯を点灯させる放電灯点灯装置でもよい。また、モーター駆動装置などの昇圧チョッパ回路を備えた装置であれば全て適用することができる。
【符号の説明】
【０１２９】
１  交流電源、２  整流回路、３  昇圧チョッパ回路、４  電力変換部、５  制御回路、６  インダクタ、７  スイッチング素子、８  ダイオード、９  第１の電解コンデンサ、１０  第２の電解コンデンサ、１１  第１のスイッチング素子、１２  第２のスイッチング素子、１３  インダクタ、１４  コンデンサ、１５  コンデンサ、１６  昇圧トランス、１７  高圧放電灯、１８  始動回路、２１  整流回路電圧検出手段、２２  昇圧回路電圧検出手段、２３  放電灯電圧検出手段、２４  放電灯電流検出手段、１００  放電灯点灯装置、２００  リフレクター、３００  照明器具。
【図１】
2011138626.tif 000003
【図２】
2011138626.tif 000004
【図３】
2011138626.tif 000005
【図４】
2011138626.tif 000006
【図５】
2011138626.tif 000007
【図６】
2011138626.tif 000008
【図７】
2011138626.tif 000009
【図８】
2011138626.tif 000010
【図９】
2011138626.tif 000011